(57)【要約】【課題】記録パワーの補正を行うタイミングを適切に判断することで、記録品質の向上と記録速度の向上とを兼ね備えた光ディスク装置におけるレーザ光の記録パワー補正方法およびこれを用いた光ディスク装置を提供すること。【解決手段】レーザーダイオードの最適記録パワーの補正を行うタイミングを、記録開始から設定記録長を越えた場合、ドライブ内温度センサーからの温度出力が設定温度範囲を超えた場合、または記録中のディスクからの戻り光量が設定範囲を超えた場合に記録パワーの補正を行うこととした。これにより、記録パワー補正のための中断が適切なタイミングで行われるので、結果として記録中断回数が減り、記録速度を向上することができる。【選択図】      図３
2007172797.tif 000002
【特許請求の範囲】
【請求項１】
光ディスクの記録面に情報を記録する際の光ディスク装置におけるレーザ光の記録パワー補正方法において、
所定の記録条件を満たすか否かを判定する第１のステップと、
前記記録条件を満たさないと判定した場合、一旦記録処理を中断する第２のステップと、
前記中断した直前の記録エリアの記録特性を測定し、当該測定結果に基づいて前記情報を記録する記録パワーを補正する第３のステップとを備えることを特徴とするレーザ光の記録パワー補正方法。
【請求項２】
前記第１のステップでは、
前記記録条件とは、前記光ディスクへの記録開始から予め設定された記録長であり、
前記記録長を超えたか否かを判定することを特徴とする請求項１に記載のレーザ光の記録パワー補正方法。
【請求項３】
前記第１のステップでは、
前記記録条件とは、前記光ディスクへの記録開始から予め設定された記録長、および前記光ディスク装置のドライブ内の予め設定された温度であり、
前記記録長を超えたか否かを判定すると共に、前記光ディスク装置のドライブ内の温度を監視しながら前記温度を超えたか否かを判定し、
前記第２のステップでは、
前記記録長を超えたと判定した場合又は前記温度を超えたと判定した場合のいずれかになると、一旦記録処理を中断することを特徴とする請求項１に記載のレーザ光の記録パワー補正方法。
【請求項４】
前記第１のステップでは、
前記記録条件とは、予め設定された前記光ディスクからの反射光量の光量範囲であり、
前記光ディスクへの記録開始から前記反射光量が前記光量範囲から外れたか否かを判定することを特徴とする請求項１に記載のレーザ光の記録パワー補正方法。
【請求項５】
前記第１のステップでは、
前記記録条件とは、予め設定された前記光ディスクからの反射光量の光量範囲であり、
前記光ディスクへの記録開始から前記反射光量が前記光量範囲から外れたか否かを判定すると共に、前記光ディスク装置のドライブ内の温度を監視しながら前記温度を超えたか否かを判定し、
前記第２のステップでは、
前記反射光量が前記光量範囲から外れたと判定した場合又は前記温度を超えたと判定した場合のいずれかになると、一旦記録処理を中断することを特徴とする請求項１に記載のレーザ光の記録パワー補正方法。
【請求項６】
前記第１のステップでは、
前記記録条件とは、前記光ディスクへの記録開始から予め設定された記録長、前記光ディスク装置のドライブ内の予め設定された温度、および予め設定された前記光ディスクからの反射光量の光量範囲であり、
前記記録長を超えたか否かを判定すると共に、前記光ディスク装置のドライブ内の温度を監視しながら前記温度を超えたか否かを判定し、かつ前記光ディスクへの記録開始から前記反射光量が前記光量範囲から外れたか否かを判定し、
前記第２のステップでは、
前記記録長を超えたと判定した場合、前記温度を超えたと判定した場合又は前記反射光量が前記光量範囲から外れたと判定した場合のいずれかになると、一旦記録処理を中断することを特徴とする請求項１に記載のレーザ光の記録パワー補正方法。
【請求項７】
前記第１のステップにおいて、
前記光ディスクへの記録開始から予め設定された記録長を超えたと判定した場合と、前記光ディスク装置のドライブ内の温度を監視しながら予め設定された温度を超えたと判定した場合、
前記第３のステップでは、
前記中断前に記録された記録エリアのＢｅｔａ値を測定し、この測定Ｂｅｔａ値と予め設定されている記録速度に対する目標Ｂｅｔａ値との差から前記レーザ光の記録パワーを補正することを特徴とする請求項２、３、５又は６に記載のレーザ光の記録パワー補正方法。
【請求項８】
前記第１のステップにおいて、
前記光ディスクへの記録開始から前記反射光量が予め設定された光量範囲から外れたと判定した場合、
前記第３のステップでは、
前記中断前に測定された反射光量と予め設定されている記録速度に対する目標反射光量との差から前記レーザ光の記録パワーを補正することを特徴とする請求項４乃至６に記載のレーザ光の記録パワー補正方法。
【請求項９】
光ディスクの記録面に所定の記録パワーで情報を記録する光ディスク装置において、
所定の記録条件を満たすか否かを判定する記録条件判定手段と、
前記記録条件判定手段により前記記録条件を満たさないと判定された場合、一旦記録処理を中断する記録処理中断手段と、
前記記録処理中断手段で中断した直前の記録エリアの記録特性を測定し、当該測定結果に基づいて前記情報を記録する記録パワーを補正する記録パワー補正手段とを有し、
前記記録パワー補正手段により記録パワーの補正が終わると、前記記録処理中断手段により中断した記録処理を再開し、前記記録パワー補正手段により補正した記録パワーにより前記光ディスクの記録面に情報を記録することを特徴とする光ディスク装置。
【請求項１０】
前記記録条件とは、前記光ディスクへの記録開始から予め設定された記録長であり、
前記記録条件判定手段は、前記記録長を超えたか否かを判定することを特徴とする請求項９に記載の光ディスク装置。
【請求項１１】
前記記録条件とは、前記光ディスクへの記録開始から予め設定された記録長、および前記光ディスク装置のドライブ内の予め設定された温度であり、
前記記録条件判定手段は、前記記録長を超えたか否かを判定すると共に、前記光ディスク装置のドライブ内の温度を監視しながら前記温度を超えたか否かを判定し、
前記記録処理中断手段は、前記記録長を超えたと判定した場合又は前記温度を超えたと判定した場合のいずれかになると、一旦記録処理を中断することを特徴とする請求項９に記載の光ディスク装置。
【請求項１２】
前記記録条件とは、予め設定された前記光ディスクからの反射光量の光量範囲であり、
前記記録条件判定手段は、前記光ディスクへの記録開始から前記反射光量が前記光量範囲から外れたか否かを判定することを特徴とする請求項９に記載の光ディスク装置。
【請求項１３】
前記記録条件とは、予め設定された前記光ディスクからの反射光量の光量範囲であり、
前記記録条件判定手段は、前記光ディスクへの記録開始から前記反射光量が前記光量範囲から外れたか否かを判定すると共に、前記光ディスク装置のドライブ内の温度を監視しながら前記温度を超えたか否かを判定し、
前記記録処理中断手段は、前記反射光量が前記光量範囲から外れたと判定した場合又は前記温度を超えたと判定した場合のいずれかになると、一旦記録処理を中断することを特徴とする請求項９に記載の光ディスク装置。
【請求項１４】
前記記録条件とは、前記光ディスクへの記録開始から予め設定された記録長、前記光ディスク装置のドライブ内の予め設定された温度、および予め設定された前記光ディスクからの反射光量の光量範囲であり、
前記記録条件判定手段は、前記記録長を超えたか否かを判定すると共に、前記光ディスク装置のドライブ内の温度を監視しながら前記温度を超えたか否かを判定し、かつ前記光ディスクへの記録開始から前記反射光量が前記光量範囲から外れたか否かを判定し、
前記記録処理中断手段は、前記記録長を超えたと判定した場合、前記温度を超えたと判定した場合又は前記反射光量が前記光量範囲から外れたと判定した場合のいずれかになると、一旦記録処理を中断することを特徴とする請求項９に記載の光ディスク装置。
【請求項１５】
記録速度に対する目標Ｂｅｔａ値の値が記憶された第１の記憶手段を有し、
前記記録条件判定手段において、前記光ディスクへの記録開始から予め設定された記録長を超えたと判定した場合と、前記光ディスク装置のドライブ内の温度を監視しながら予め設定された温度を超えたと判定した場合、
前記記録パワー補正手段は、前記中断前に記録された記録エリアのＢｅｔａ値を測定し、この測定Ｂｅｔａ値と前記第１の記憶手段から読み出した目標Ｂｅｔａ値との差から前記レーザ光の記録パワーを補正することを特徴とする請求項１０、１１、１３又は１４に記載の光ディスク装置。
【請求項１６】
前記記憶手段に記憶された記録速度に対する目標Ｂｅｔａ値は前記光ディスク毎に異なることを特徴とする請求項１５に記載の光ディスク装置。
【請求項１７】
記録速度に対する目標反射光量の値が記憶された第２の記憶手段を有し、
前記記録条件判定手段において、前記光ディスクへの記録開始から前記反射光量が予め設定された光量範囲から外れたと判定した場合、
前記記録パワー補正手段は、前記中断前に測定された反射光量と前記第２の記憶手段から読み出した目標反射光量との差から前記レーザ光の記録パワーを補正することを特徴とする請求項１２乃至１４に記載の光ディスク装置。
【発明の詳細な説明】
【技術分野】
【０００１】
本発明は光ディスク装置、より具体的には光ディスク装置における情報の記録方法に関する。
【背景技術】
【０００２】
近年、データ、音楽または映像等のデジタル情報の記録媒体として光ディスクの普及は目覚しいものがある。この種の光ディスクとしては、例えばＣＤ−Ｒ等の追記型光ディスクやＣＤ−ＲＷ等の書き換え型の光ディスク、またはレーザ光源としての半導体レーザの短波長化、高い開口数(Numerical Aperture)を有する高ＮＡ対物レンズによるスポット径の小型化、および薄型基板の採用等によりＤＶＤ−Ｒ，ＤＶＤ±Ｒ，ＤＶＤ±ＲＷ，ＤＶＤ−ＲＡＭ等の大容量の光ディスクが知られている。
【０００３】
この種の光ディスクでは、レーザーダイオードにより情報の記録を行うが、光ディスクそれぞれの特性等の違いや光ディスク装置との相性により最適な記録パラメータが異なる。したがって、市場に流通しよく使われる一般的な光ディスクに関しては、あらかじめ光ディスク装置のファームウェアにこれら既知の光ディスクに関する記録パラメータを記憶し、これを記録時に読み込んで設定することにより最適な記録処理が行われるようになっている。すなわち、光ディスク装置に光ディスクが挿入されると、その光ディスクの固有情報（ディスクＩＤ等）を読み出し、このＩＤ情報に基づいて光ディスクの製造メーカやモデルを特定して情報を書き込む記録動作を行っている。
【０００４】
しかしながら、市場には光ディスク装置の製造メーカが把握している以上の様々な光ディスクが流通しているのが現状であり、新たな光ディスクの開発をも考慮すると、市場に流通する全ての光ディスクについて最適な記録パラメータをあらかじめ用意することは実質的に不可能である。このため、記録パラメータがファームウェアに記憶されていない未知の光ディスクに関しては、標準的な記録パラメータや特性が近いと判断される光ディスクの記録パラメータ、例えば同じ製造メーカの記録パラメータを用いて記録動作をおこなっていた。
【０００５】
一方、上記のような記録品質の確保とともに、高速での記録動作を実現することで書き込み時間の短縮を図ることもユーザの強い要望事項である。実際、近年ではユーザが扱うデータ容量が著しく大きくなっているのが現状であり、記録する情報容量が大きければ大きいほどそれに比例して書き込み時間がかかるので、消費者は高速書き込みが可能なより性能の高い光ディスクおよび光ディスク装置を望んでいる。
【０００６】
このため、光ディスクの製造メーカでは高速での記録に対応した光ディスクの開発が行われているとともに、光ディスク装置の製造メーカでは高速記録が可能な光ディスク装置の開発が行われている。具体的には、光ディスク装置では、例えばＣＡＶ(Constant Angular Velocity)方式、ＰＣＡＶ(Partial Constant Angular Velocity)方式またはＺＣＬＶ(Zone Constant Liner Velocity)方式を用いることで高速記録を実現している。
【０００７】
なお、既知の光ディスクに関しても、光ディスク装置の機差や光ディスクの固体差あるいは動作環境を考慮すると、あらかじめ記憶された記録パラメータが必ずしも最適であるとは限らない。このため、例えばパーソナルコンピュータから光ディスク装置に記録命令が送られてくると、光ディスク装置は記録を行うレーザーダイオードの最適記録パワーを決定するために、ＯＰＣ(Optimum Power Control)を実行する（特許文献１および特許文献２）。
【０００８】
このＯＰＣは光ディスク内に設けられたＯＰＣ専用のテストエリアであらかじめ記憶された記録パラメータにより試し書きを行い、書き込んだデータから選択した記録パラメータが適切かどうかを判断する。そして、記録パラメータが適切であればそのパラメータに基づいてユーザデータエリアの記録を実行し、そうでない場合には補正した記録パラメータに基づいてレーザーダイオードの記録パワーを決定し記録を行っていた。
【特許文献１】特開２００５−１１６０２７
【特許文献２】特開２００５−１３５４８１
【発明の開示】
【発明が解決しようとする課題】
【０００９】
しかしながら、このように最適な記録パワーを選択しても、以下に記載する要因によりその最適パワーに誤差が生じてしまい記録特性を劣化させてしまうという問題があった。
【００１０】
その要因の１つ目は、光ディスクの面内記録特性の相違である。これは、ＯＰＣを行うテストエリア（ＯＰＣエリア）と実際に情報を記録するユーザデータエリアとでは面内記録特性が相違するので、ＯＰＣの際に最適であったレーザーダイオードの記録パワーがユーザデータエリアでは最適記録パワーではなく、最適パワーに誤差が生じるために発生する。このような面内記録特性は、データエリア内でも内周面と外周面とでは相違するので、同様に最適パワーに誤差が生じる。
【００１１】
要因の２つ目はレーザダイオードの温度による記録パワーの変化である。レーザダイオードは、記録を行うことによる自己発熱やドライブ内温度の変化によってその特性が変化するので、これに伴って記録パワーも変化してしまう。
【００１２】
このような２つの要因により、記録特性に劣化が生じて記録中のエラーや記録後の再生エラーが発生していた。また、レーザダイオードの個体差でのバラツキもあり、ドライブによる記録特性が不安定であるという問題もあった。
【００１３】
このような記録特性を劣化させる要因を補正／最適化するために、任意の位置で記録を中断し、最適パワーに補正した後に再記録するという従来技術もあるが（特許文献１）、このような従来技術では決まったアドレス（または記録長）で補正処理を実行するため、温度偏差が無い場合でも上記処理が発生してしまい、記録時間のロスがあるという問題があった。
【００１４】
本発明はこのような従来技術の課題を解決し、記録時における記録パワーの最適化を実現することにより記録品質の向上と記録時間の短縮とを可能とする光ディスク装置におけるレーザ光の記録パワー補正方法およびこれを用いた光ディスク装置を提供することを目的とする。
【課題を解決するための手段】
【００１５】
本発明は、上記課題を解決するため、請求項１に係る発明は、光ディスクの記録面に情報を記録する際の光ディスク装置におけるレーザ光の記録パワー補正方法において、所定の記録条件を満たすか否かを判定する第１のステップと、記録条件を満たさないと判定した場合、一旦記録処理を中断する第２のステップと、中断した直前の記録エリアの記録特性を測定し、当該測定結果に基づいて前記情報を記録する記録パワーを補正する第３のステップとを備える。
【００１６】
請求項２に係る発明は、請求項１に記載の記録パワー補正方法において、第１のステップでは、記録条件とは、光ディスクへの記録開始から予め設定された記録長であり、記録長を超えたか否かを判定する。
【００１７】
請求項３に係る発明は、請求項１に記載の記録パワー補正方法において、第１のステップでは、記録条件とは、光ディスクへの記録開始から予め設定された記録長、および前記光ディスク装置のドライブ内の予め設定された温度であり、記録長を超えたか否かを判定すると共に、光ディスク装置のドライブ内の温度を監視しながら前記温度を超えたか否かを判定し、第２のステップでは、記録長を超えたと判定した場合又は前記温度を超えたと判定した場合のいずれかになると、一旦記録処理を中断する。
【００１８】
請求項４に係わる発明は、請求項１に記載の記録パワー補正方法において、第１のステップでは、記録条件とは、予め設定された光ディスクからの反射光量の光量範囲であり、光ディスクへの記録開始から反射光量が光量範囲から外れたか否かを判定する。
【００１９】
請求項５に係わる発明は、請求項１に記載の記録パワー補正方法において、記第１のステップでは、記録条件とは、予め設定された光ディスクからの反射光量の光量範囲であり、光ディスクへの記録開始から反射光量が前記光量範囲から外れたか否かを判定すると共に、光ディスク装置のドライブ内の温度を監視しながら温度を超えたか否かを判定し、第２のステップでは、反射光量が光量範囲から外れたと判定した場合又は前記温度を超えたと判定した場合のいずれかになると、一旦記録処理を中断する。
【００２０】
請求項６に係わる発明は、請求項１に記載の記録パワー補正方法において、第１のステップでは、記録条件とは、光ディスクへの記録開始から予め設定された記録長、光ディスク装置のドライブ内の予め設定された温度、および予め設定された前記光ディスクからの反射光量の光量範囲であり、記録長を超えたか否かを判定すると共に、光ディスク装置のドライブ内の温度を監視しながら温度を超えたか否かを判定し、かつ光ディスクへの記録開始から反射光量が光量範囲から外れたか否かを判定し、第２のステップでは、記録長を超えたと判定した場合、温度を超えたと判定した場合又は反射光量が前記光量範囲から外れたと判定した場合のいずれかになると、一旦記録処理を中断する。
【００２１】
請求項７に係わる発明は、請求項２、３、５又は６に記載の記録パワー補正方法において、第１のステップにおいて、光ディスクへの記録開始から予め設定された記録長を超えたと判定した場合と、光ディスク装置のドライブ内の温度を監視しながら予め設定された温度を超えたと判定した場合、第３のステップでは、中断前に記録された記録エリアのＢｅｔａ値を測定し、この測定Ｂｅｔａ値と予め設定されている記録速度に対する目標Ｂｅｔａ値との差から前記レーザ光の記録パワーを補正する。
【００２２】
請求項８に係わる発明は、請求項４乃至６に記載の記録パワー補正方法において、第１のステップにおいて、光ディスクへの記録開始から反射光量が予め設定された光量範囲から外れたと判定した場合、第３のステップでは、中断前に測定された反射光量と予め設定されている記録速度に対する目標反射光量との差からレーザ光の記録パワーを補正する。
【００２３】
請求項９に係わる発明は、光ディスクの記録面に所定の記録パワーで情報を記録する光ディスク装置において、所定の記録条件を満たすか否かを判定する記録条件判定手段と、記録条件判定手段により記録条件を満たさないと判定された場合、一旦記録処理を中断する記録処理中断手段と、記録処理中断手段で中断した直前の記録エリアの記録特性を測定し、当該測定結果に基づいて情報を記録する記録パワーを補正する記録パワー補正手段とを有し、記録パワー補正手段により記録パワーの補正が終わると、記録処理中断手段により中断した記録処理を再開し、記録パワー補正手段により補正した記録パワーにより前記光ディスクの記録面に情報を記録する。
【００２４】
請求項１０に係わる発明は、請求項９に記載の光ディスク装置において、記録条件とは、光ディスクへの記録開始から予め設定された記録長であり、記録条件判定手段は、記録長を超えたか否かを判定する。
【００２５】
請求項１１に係わる発明は、請求項９に記載の光ディスク装置において、記録条件とは、光ディスクへの記録開始から予め設定された記録長、および光ディスク装置のドライブ内の予め設定された温度であり、記録条件判定手段は、記録長を超えたか否かを判定すると共に、光ディスク装置のドライブ内の温度を監視しながら温度を超えたか否かを判定し、記録処理中断手段は、記録長を超えたと判定した場合又は前記温度を超えたと判定した場合のいずれかになると、一旦記録処理を中断する。
【００２６】
請求項１２に係わる発明は、請求項９に記載の光ディスク装置において、記記録条件とは、予め設定された光ディスクからの反射光量の光量範囲であり、記記録条件判定手段は、光ディスクへの記録開始から反射光量が光量範囲から外れたか否かを判定する。
【００２７】
請求項１３に係わる発明は、請求項９に記載の光ディスク装置において、記録条件とは、予め設定された光ディスクからの反射光量の光量範囲であり、記録条件判定手段は、光ディスクへの記録開始から反射光量が光量範囲から外れたか否かを判定すると共に、光ディスク装置のドライブ内の温度を監視しながら温度を超えたか否かを判定し、記録処理中断手段は、反射光量が光量範囲から外れたと判定した場合又は温度を超えたと判定した場合のいずれかになると、一旦記録処理を中断する。
【００２８】
請求項１４に係わる発明は、請求項９に記載の光ディスク装置において、記録条件とは、光ディスクへの記録開始から予め設定された記録長、光ディスク装置のドライブ内の予め設定された温度、および予め設定された前記光ディスクからの反射光量の光量範囲であり、記録条件判定手段は、記録長を超えたか否かを判定すると共に、光ディスク装置のドライブ内の温度を監視しながら温度を超えたか否かを判定し、かつ光ディスクへの記録開始から反射光量が光量範囲から外れたか否かを判定し、記録処理中断手段は、記録長を超えたと判定した場合、温度を超えたと判定した場合又は反射光量が光量範囲から外れたと判定した場合のいずれかになると、一旦記録処理を中断する。
【００２９】
請求項１５に係わる発明は、請求項１０、１１，１３又は１４に記載の光ディスク装置において、  記録速度に対する目標Ｂｅｔａ値の値が記憶された第１の記憶手段を有し、記録条件判定手段において、光ディスクへの記録開始から予め設定された記録長を超えたと判定した場合と、光ディスク装置のドライブ内の温度を監視しながら予め設定された温度を超えたと判定した場合、記録パワー補正手段は、中断前に記録された記録エリアのＢｅｔａ値を測定し、この測定Ｂｅｔａ値と第１の記憶手段から読み出した目標Ｂｅｔａ値との差からレーザ光の記録パワーを補正する。
【００３０】
請求項１６に係わる発明は、請求項１５に記載の光ディスク装置において、記憶手段に記憶された記録速度に対する目標Ｂｅｔａ値は光ディスク毎に異なる。
【００３１】
請求項１７に係わる発明は、請求項１２乃至１４に記載の光ディスク装置において、記録速度に対する目標反射光量の値が記憶された第２の記憶手段を有し、記録条件判定手段において、光ディスクへの記録開始から反射光量が予め設定された光量範囲から外れたと判定した場合、記録パワー補正手段は、中断前に測定された反射光量と第２の記憶手段から読み出した目標反射光量との差からレーザ光の記録パワーを補正する。
【発明の効果】
【００３２】
本発明によれば、記録パワーの補正が必要なときにのみ記録を中断して補正処理を行うことができるので、安定した記録品質を得ることができるとともに、中断による記録時間を浪費することが無くなり結果として記録時間の短縮が図れるので、高性能な光ディスク装置を提供することが可能となる。
【発明を実施するための最良の形態】
【００３３】
次に添付図面を参照して本発明による光ディスク装置におけるレーザ光の記録パワー補正方法およびこれを用いた光ディスク装置の実施の形態を詳細に説明する。
【００３４】
図１を参照すると本発明による光ディスク装置の機能ブロック図が示されている。光ディスク１は、半導体レーザにより情報の記録、再生、消去（ＲＷおよびＲＡＭのみ）が行える記録媒体であり、例えばＣＤ−Ｒ、ＣＤ−ＲＷ、ＤＶＤ±Ｒ、ＤＶＤ−ＲＷ、ＤＶＤ−ＲＡＭ等がある。
【００３５】
スピンドルモータ２００は、光ディスク１を回転させるモータであり、線速度一定または回転数一定に回転させる。スピンドルモータ２００は、ドライバ２０８により回転速度等が制御される。
【００３６】
光ピックアップ装置２０２は、トラックが形成された光ディスク１の記録面にレーザ光を照射するとともに、記録面からの反射光を受光するための装置である。この光ピックアップ装置２０２は、レーザーダイオード、コリメートレンズ、ビームスプリッタ、対物レンズ、検出レンズ、受光器およびフォーカスアクチュエータやトラッキングアクチュエータ等の駆動系を備えている。本実施の形態ではこの受光器によって、記録中の光ディスク１からの戻り光量（以後反射光量とも称す）をリアルタイムで検出し、後述するアナログフロントエンド２１０に出力する。
【００３７】
ステッピングモータ２０６はスライダ２０７を駆動して光ピックアップ装置２０２をトラック方向に移動させるモータである。ステッピングモータ２０６は、スピンドルモータ２００と同様にドライバ２０８によって駆動制御される。
【００３８】
アナログフロントエンド２１０は、光ピックアップ装置２０２からの検出信号を成形してデジタル信号にするための信号処理回路である。光ピックアップ装置２０２からの検出信号自体はアナログであり、検出されるレベルも微少かつ不安定である。このため、アナログフロントエンド２１０でレベルを増幅したり揃えたり、きれいな方形波に直すための閾値を常に調節している。アナログフロントエンド２１０はまた、光ピックアップ装置２０２より記録中の光ディスク１からの反射光量を受信するとそのレベルをＭＰＵ２２０に通知する。なお、この反射光量（Ｗｒｉｔｅ  ＲＦ信号）を以後ＷＲＦと称す。
【００３９】
デジタル信号処理回路２１２は、フォトディテクタの各領域への反射光量の総和を示すＲＦ信号を生成するとともに、光ピックアップ装置２０２の照射レーザの焦点ずれを検出した信号であるフォーカスエラー信号を非点収差法によって生成し、さらに光ピックアップ装置２０２の照射レーザのトラックずれを検出した信号であるトラッキングエラー信号をプッシュプル法によって生成する。また、生成されたフォーカスエラー信号およびトラッキングエラー信号に基づいて、フォーカス駆動信号、トラッキング駆動信号を生成し、ドライバ２０８に出力する。
【００４０】
さらに、デジタル信号処理回路２１２はＭＰＵ２２０からスピンドルモータ２００、光ピックアップ装置２０２またはステッピングモータ２０６の制御命令を受信すると、ドライバ２０８に出力する。ドライバドライバ２０８は、これらエラー信号や制御命令を入力すると、スピンドルモータ２００、光ピックアップ装置２０２、ステッピングモータ２０６の駆動制御を行う。
【００４１】
エンコーダ／デコーダ(Encoder/Decoder)２１４は、パーソナルコンピュータ３から送られてきた光ディスク１に記録する情報をエンコードしてデジタル信号処理回路２１２に出力するとともに、光ディスク１で読み取った情報をデコードしてパーソナルコンピュータ３に送る回路である。
【００４２】
バッファメモリ２１６はパーソナルコンピュータ３との間でやり取りする情報を一時的に記憶するメモリである。ホストインタフェイス２１８はパーソナルコンピュータ３との物理レベルおよび信号レベルでの接続を行うためのインターフェイスである。
【００４３】
ＭＰＵ２２０は、フラッシュメモリ２２２に記憶されたプログラムおよびデータ（ファームウェア）に従って光ディスク装置全体を制御するメインＣＰＵである。ＭＰＵ２２０は、本実施の形態では通常の光ディスク装置の制御の他に、記録開始からあらかじめ設定された記録長を超えた場合、温度センサ２２４より入力した温度が設定温度を超えた場合、または記録中の光ディスクからの反射光量が設定範囲を超えた場合に、一旦記録を中断してレーザーダイオードの最適記録パワーの補正を行う。すなわち、ＭＰＵ２２０は、このような記録条件を満たすか否かの判定を行う記録条件判定機能、記録条件を満たしていない場合に記録処理を中断する記録処理中断機能、レーザーダイオードの記録パワーを補正する記録パワー補正機能とを備えている。温度センサ２２４は、光ディスク装置内に取り付けられた温度センサであり、環境温度や自己発熱温度を計測する。温度センサ２２４は現在の温度をリアルタイムでＭＰＵ２２０に出力する。
【００４４】
フラッシュメモリ２２２は、前述したようにＭＰＵ２２０の動作に必要なプログラムおよびデータが格納されたメモリである。光ディスク１にはその内部に光ディスクの固有情報（ＩＤ）が埋め込まれている。このため、フラッシュメモリ２２２には、このＩＤに応じた記録を行うための最適な記録パラメータであるデータテーブルが格納されている。このデータテーブルの中に、本実施の形態の特徴であるレーザーダイオードの最適記録パワーの補正を行うためのテーブルが格納されている。具体的には、記録速度に対する目標Ｂｅｔａ値のテーブル、記録速度に対する目標ＷＲＦ値のテーブルおよび補正係数θのテーブルである。目標Ｂｅｔａ値および目標ＷＲＦ値の各テーブルは光ディスク毎に値が異なるため、既知の光ディスクに関しては各ディスク毎にこのテーブルが用意されている。
【００４５】
図２は光ディスク１の情報を記録する前に試し書きをするＯＰＣエリアと実際の情報を記録するユーザデータエリアを概念的に示した図である。本実施の形態でも、光ディスク装置２は図１に示したパーソナルコンピュータ３からの記録命令を受信すると、光ディスクのＩＤを確認してこのディスクに適したレーザダイオードの記録パラメータをフラッシュメモリ２２２より参照し、この記録パラメータに基づいてレーザーダイオードの記録パワーを決定し、ＯＰＣエリアで試し書きを行う。そして、試し書きをした後、動作モードを記録モードから再生モードに変更して記録した情報を再生し、ＭＰＵ２２０で記録品質の良否を判断する。これによってもし、記録品質に問題があれば記録パワーを補正してユーザデータエリアへの記録を行う。このように本実施の形態でもユーザデータの記録を行う前にＯＰＣを実行する。
【００４６】
図３は本実施の形態の特徴部分を示す動作フローである。本実施の形態では、ユーザデータエリアに記録する前に行ったＯＰＣを情報を記録中にも行うようにし、そのタイミングをレーザーダイオードの記録パワーの補正が必要なときにのみ行うようにした最適記録パワー補正処理(インテリジェントＯＰＣ)を実行することに特徴がある。以下、図１および図３を用いて最適記録パワー補正処理を、ＣＤ−Ｒ，ＤＶＤ±Ｒ等のＲ系に適用したときを例に説明するが、ここで述べる同様の技術的思想はＲＷ系や次世代光ディスク（ブルーレイ・ディスクやＨＤ−ＤＶＤ）にも適用可能である。また、図３に示した最適記録パワー補正処理は光ディスク装置２が情報の記録時に行ってっているメイン処理とともに実行される。
【００４７】
ＭＰＵ２２０は、ユーザデータエリアでの記録が開始されると、光ディスク１に情報の記録を行う開始位置から所定の記録長を超えたかどうかを判断する（ステップＳ４００）。なお、この記録長はディスクの種類や書き込む速度により異なる。ＭＰＵ２２０は、記録長を超えた場合には記録処理を中断する旨の命令をデジタル信号処理回路２１２に送って処理を中断し（ステップＳ４１０）、超えていなかった場合には温度センサ２２４から現在のドライブ内の温度を取得し（ステップＳ４０２）、これが温度範囲外かどうかをチェックする（ステップＳ４０４）。
【００４８】
ドライブ内の温度が設定温度を超えていた場合には、ＭＰＵ２２０はステップＳ４１０の記録中断処理を実行し、そうでなければ現在光ディスクに記録している反射光量をデジタル信号処回路２１２より取得して（ステップＳ４０６）、この光量が設定した範囲かどうかをチェックする（ステップＳ４０８）。設定した光量範囲内であれば初めのステップＳ４００戻り、そうでなければＳ４１０の記録中断処理を実行する。なお、図３ではステップＳ４００、Ｓ４０４、Ｓ４０６の順に記載し、その流れで説明したが、実際の動作ではこれらステップのいずれか１つがＹｅｓとなり、記録処理を中断するステップＳ４１０に移行する状態になれば直ちにこの処理Ｓ４１０を実行する。
【００４９】
次に、本実施の形態の特徴部分の処理であるステップＳ４００に関して具体的にその内容を従来技術と比較して説明する。図４は縦軸に記録速度、横軸に光ディスクの半径を示した光ディスク１への記録状態を示した説明図であり、４倍速から始まってＣＡＶ(Constant angular velocity)で記録をして速度を上げていき、光ディスクの記録可能な限界倍速になったところでＣＬＶ(Constant linear velocity)にするＰＣＡＶ(Partial Constant Angular Velocity)方式を採用することで、記録品質と記録時間の短縮とを図っている。図５〜図８は図４の丸で囲んだ部分の拡大図であり、図５および図６は従来技術の記録パワーの補正処理のタイミングを、図７および図８は本実施の形態の記録パワーの補正処理のタイミングをそれぞれ具体例により示している。
【００５０】
図５に示すように従来技術では、決められた記録長（またはアドレス）Ｌ１で、一旦、記録処理を中断し最適記録パワーの補正を実行してから再起録を始める。したがって、例えば図６に示すようにＬ１に満たないＬ２で記録処理を終えた場合、再度記録処理を実行するとＬ１の記録長a1で記録処理が中断され連続して書き込みが行えるのがＬ３の記録長となってしまう。このため、図６に示すように、例えば記録長Ｌ２のデータ、記録長（Ｌ３＋Ｌ４）のデータ、記録長（Ｌ５＋Ｌ６）のデータおよび記録長Ｌ７のデータを４回に分けて記録した場合、記録長Ｌ１の固定長の長さで補正処理が実行されてしまうので、記録長a1およびa2でも記録処理が中断されることになる。
【００５１】
一方、本実施の形態であるステップＳ４００の処理では、レーザーダイオードの記録パワーの見直しを記録を開始した時点から計算するので、例えば記録長（Ｌ３＋Ｌ４）＜記録長Ｌ１であれば途中で記録処理が中断されることはない。また、本実施の形態ではステップＳ４０４およびステップＳ４０８の処理が実行されるので、ステップＳ４００のみの場合と比較して中断までの記録長を長く設定することが可能となる。したがって、図７に示すように例えば中断までの記録長をＬ１０の長さにすることができる。
【００５２】
また前述したように、図８に示すように記録長Ｌ１１で記録処理を終えて、次に記録長a1'から記録を始めても記録長a3で中断されることなく記録長a4まで連続して書き込み処理を実行することができる。したがって、最適記録パワーの補正処理を実行するにあたって、従来技術では何回も中断処理を実行しなければならなかったが、本実施の形態ではその数を減らすことができるので記録時間の短縮が可能となる。
【００５３】
次にステップＳ４０８について説明する。レーザーダイオードの特性として、同じ電力で発光させても記録パワーは変動してしまう。図９はこのような記録パワーの変動状態を示した図であり、同図に示すように、例えば当初２０ｍｗで最適記録パワーであったレーザーダイオードが時間の経過とともに自己発熱してパワーダウンが生じてしまう。このように、書き込む記録パワーが所定の基準値以上に不足すると情報の再生ができなくなってしまうので、反射光量によってレーザーダイオードの記録パワーの減少または増大を検知する。すなわち、図１０に示すように記録パワーがＰ１〜Ｐ２の範囲から外れたときの反射光量を検出した場合には記録処理を中断して記録パワーの補正を行う。なお、反射光量の変化はレーザーダイオードの劣化以外に光ディスクの面内記録特性および光ディスク装置の環境温度によっても変化するので、この反射光量を検出することによって面内記録特性や環境温度が変化した場合でも最適記録パワーの補正が可能となる。
【００５４】
図３に戻って、最適記録パワーの補正を行うためにステップＳ４１０の記録処理を中断した後、ＭＰＵ２２０はデジタル信号処理回路２１２を介してドライバ２０８を制御して光ピックアップ装置２０２を直前に書き込み処理をした記録済アドレスに移動する（ステップＳ４１２）。もし、書き込んだアドレスへの移動に失敗し、それが回数オーバになった場合にはエンコード処理を停止し（ステップＳ４１６）、書き込みエラーをセットして（ステップＳ４１８）、メイン処理にもどる。
【００５５】
書き込んだアドレスへの移動に成功すると、ＭＰＵ２２０はデジタル信号処理回路２１２を介してドライバ２０８を制御し、光ピックアップ装置２０２の光ディスクサーボを実行する（ステップＳ４２２）。具体的には、フォーカシングサーボを実行して、信号を記録したトラックの記録面の位置を検出し、この記録面にビームスポットの焦点を結ばせる追従制御を実行する。そして、直前に記憶した当該アドレスにおける記録／未記録を確認する（ステップＳ４２４）。一方、ステップＳ４２２の追従制御ができない場合には、ステップＳ４１２の直前に記録した記録済アドレスへの移動処理を再び実行する。
【００５６】
ステップＳ４２４で記録／未記録の確認を実行した結果、記録済エリアであれば（ステップＳ４２６）、ＭＰＵ２２０はデジタル信号処理回路２１２からのデータから記録済エリアのＢｅｔａ値を測定する（ステップＳ４２８）。そして、測定したＢｅｔａ値が正しければ（ステップＳ４３０）、ＭＰＵ２２０は目標Ｂｅｔａテーブルおよびθテーブル（テーブルＴ４３４）をフラッシュメモリ２２２から参照し、最適パワーの補正計算を実行する（ステップＳ４３２）。
【００５７】
図１１、図１２および図１３はテーブルＴ４３４の一例を示したものである。図１１は記録速度に対する目標Ｂｅｔａ(ベータ)値のテーブルであり、図１２は記録速度に対する目標ＷＲＦ値のテーブルであり、図１３は補正係数θのテーブルである。記録長を超えた場合や温度オーバの場合には、補正後のレーザーダイオードの最適記録パワーＰｗは下記の式で算出される。
Ｐｗ＝{(ＴＢｅｔａ−ＭＢｅｔａ)×ＭＰｗ}／（θ×100）
ＴＢｅｔａ[％]：目標Ｂｅｔａ値（図１１参照）
ＭＢｅｔａ[％]：測定Ｂｅｔａ値（図３のステップＳ４２８で測定）
ＭＰｗ：前記録パワー（図３のステップＳ４２８で測定したときのレーザーダイオードの記録パワー）
θ：θ値（図１３参照）
【００５８】
一方、図１２のテーブルは図３のステップＳ４０８で設定した光量範囲外となったときに参照されるテーブルであり、反射光量が範囲外になったときには、そのときに測定された反射光量とテーブルに示されている速度に対応した目標ＷＲＦとの差からＭＰＵ２２０は記録パワーの補正処理を行う。この場合にはＭＰＵ２２０は、アナログフロントエンド２１０から反射光量のレベルを入力し、その値が規定範囲にあるかどうかを判断する。このようにして、ＭＰＵ２２０で最適記録パワーの補正計算を行うと、最適記録速度を選択し（ステップＳ４３６）、メイン処理に戻る。なお、ステップＳ４３０で測定値が正しくない場合にはステップＳ４１２に戻り、記録したアドレスのＢｅｔａ値の測定を実行する。
【００５９】
上記Ｂｅｔａとは、特にＲ系ディスクの記録特性の指標となる重要なパラメータであり、記録時のレーザーパワーとは図１４に示す関係にある。同図において実線は縦軸にＢｅｔａ（％）横軸にレーザーパワー（ｍｗ）を示したグラフであり、レーザーパワーに応じてＢｅｔａ値が高くなることを示している。また、点線は記録品質（Ｊｉｔｔｅｒ（ｎｓ））を示したグラフであり、値が小さいほど品質が高いことを示している。したがって、このグラフから明らかなように、Ｊｉｔｔｅｒが最も小さい地点のＢｅｔａ値とレーザーパワーの値Ｐｗ（実線）が記録品質が最適となる。本実施の形態ではこのＪｉｔｔｅｒが最も小さい値となるようレーザーパワーの補正を行う。
【００６０】
次に、図１５を用いてＢｅｔａ値の求め方を説明する。図１５はＲＦ信号のピーク（Ｐｅａｋ）とボトム（Ｂｏｔｔｏｍ）を示したものであり、基準となるｒｅｆからピークまでの高さをＡ１、ｒｅｆからボトムまでの高さをＡ２とすると、Ｂｅｔａは記録されたＲＦ信号を用いて以下の式で表すことができる。
Ｂｅｔａ（％）＝{（Ａ１−Ａ２）／（Ａ１＋Ａ２）}×１００
【００６１】
なお、図３に示した最適記録パワーの補正処理では、ステップＳ４００の記録長を超えた場合、ステップＳ４０４のドライブ温度が設定温度より高くなった場合またはステップＳ４０８の反射光量が設定した範囲外になった場合のいずれか１つが該当したときに記録パワーの補正を行うとした。しかしながら、本発明では必ずしもこれら３つを用いる必要は無く、いずれか１つまたは２つの組合せであってもよい。
【図面の簡単な説明】
【００６２】
【図１】本発明による光ディスク装置の実施の形態を示す機能ブロック図。
【図２】光ディスクのＯＰＣエリアとユーザデータエリアを示した説明図。
【図３】本発明によるレーザ光の記録パワー補正方法の実施の形態を示す動作フロー。
【図４】縦軸を速度、横軸を光ディスクの半径とし、ＰＣＬＶで記録処理をしたときのグラフ。
【図５】従来技術における記録パワーの補正を行うタイミングを示した説明図。
【図６】従来技術における記録パワーの補正を行うタイミングを示した説明図。
【図７】本実施の形態における記録パワーの補正を行うタイミングを示した説明図。
【図８】本実施の形態における記録パワーの補正を行うタイミングを示した説明図。
【図９】レーザーダイオードが時間によって特性が変化することを示した説明図。
【図１０】レーザーダイオードの反射光量の範囲を示した説明図。
【図１１】記録速度に対する目標Ｂｅｔａ値を示したテーブル例。
【図１２】記録速度に対する目標ＷＲＦ値を示したテーブル例。
【図１３】補正係数θのテーブル例。
【図１４】Ｂｅｔａ値とレーザーパワーの関係を示したグラフと、記録品質を示したグラフ。
【図１５】Ｂｅｔａ値の求め方の説明図。
【符号の説明】
【００６３】
１    光ディスク
２    光ディスク装置
３    パーソナルコンピュータ
２００  スピンドルモータ
２０２  光ピックアップ装置
２０６  ステッピングモータ
２０８  ドライバ
２１０  アナログフロントエンド
２１２  デジタル信号処理回路
２１４  エンコーダ／デコーダ
２１６  バッファメモリ
２１８  ホストインタフェース
２２０  ＭＰＵ
２２２  フラッシュメモリ
２２４  温度センサ
【図１】
2007172797.tif 000003
【図２】
2007172797.tif 000004
【図３】
2007172797.tif 000005
【図４】
2007172797.tif 000006
【図５】
2007172797.tif 000007
【図６】
2007172797.tif 000008
【図７】
2007172797.tif 000009
【図８】
2007172797.tif 000010
【図９】
2007172797.tif 000011
【図１０】
2007172797.tif 000012
【図１１】
2007172797.tif 000013
【図１２】
2007172797.tif 000014
【図１３】
2007172797.tif 000015
【図１４】
2007172797.tif 000016
【図１５】
2007172797.tif 000017